【事件の表示】
　特許第３２４８８４４号「使い捨ての拭き取り用具」の請求項１ないし４に係る特許に対する特許異議の申立てについて、次のとおり決定する。
【結　論】
　訂正を認める。
　特許第３２４８８４４号の請求項１ないし３に係る特許を維持する。
【理　由】
１．手続の経緯
　本件特許第３２４８８４４号（請求項の数４）は、平成８年５月３１日の出願に係り、平成１３年１１月９日に設定登録がなされ、その後、全請求項に係る特許について、花王株式会社より特許異議の申立てがなされ、取消しの理由が通知され、その指定期間内である平成１５年１月２１日に訂正請求（後日取下）がなされた後、さらに取消しの理由が通知され、その指定期間内である平成１５年１２月１８日に再度の訂正請求がなされたものである。
　
２．訂正の適否についての判断
２−１．訂正の内容
（Ａ）特許請求の範囲の請求項１において、
「一方向に並行して延びる多数の長繊維および機械的に絡み合う多数の短繊維のいずれかの繊維集合体」とあるを、
「
連続フィラメントのトウを解繊して得られた
からなり坪量２００〜３，０００ｇ／ｍ
２
を有する
（Ｂ）特許請求の範囲の請求項３において、
「前記集合体が一方向に並行して延びる多数の長繊維によって構成され、該繊維の両端部」とあるを、
「
前記長
（Ｃ）特許請求の範囲の請求項４を削除する。
（Ｄ）明細書の段落【０００５】において、
「一方向に並行して延びる多数の長繊維および機械的に絡み合う多数の短繊維のいずれかの繊維集合体」とあるを、
「
連続フィラメントのトウを解繊して得られた
からなり坪量２００〜３，０００ｇ／ｍ
２
を有する
（Ｅ）明細書の段落【００１４】において、
「用具１において、長繊維２５で構成された繊維層２５Ａ，２５Ｂは、短繊維をカード機で処理して得られる繊維ウエブに代えることができる。かかるウエブでは、繊維が互いに機械的に絡み合い嵩高な集合体を形成している。かかるウエブを使用する場合には、網目状シート部材３１Ａ，３１Ｂの網目の径をウエブの平均繊維長の７／１０〜２／１０にして、網目から繊維が簡単に抜け落ちることがないようにする。シート部材１０に対する繊維層は、図示例のように２５Ａと２５Ｂの二層とする他に、いずれか一層だけにすることができる。用具１は、清掃具２に取り付けて使用する他に、直接手に持って使用することもできる。」とあるを、
「用具１におい
て、シ
　
２−２．訂正の目的の適否、新規事項の有無及び拡張・変更の存否
　訂正事項（Ａ）は、繊維集合体を構成する繊維として、短繊維を除外し、連続フィラメントのトウを解繊して得られた長繊維に特定するとともに、繊維集合体の坪量を限定するものであるから、特許請求の範囲の減縮を目的とする明細書の訂正に該当し、かつ、願書に添付した明細書の段落【００１１】の記載に基づくものであるから、新規事項の追加に該当しない。
　訂正事項（Ｂ）、（Ｄ）及び（Ｅ）は、請求項３の記載、及び、発明の詳細な説明の記載を、上記訂正事項（Ａ）に整合させるためのものであるから、明りょうでない記載の釈明を目的とした明細書の訂正に該当し、新規事項の追加に該当しない。
　訂正事項（Ｃ）は、請求項の削除であるから、特許請求の範囲の減縮を目的とする明細書の訂正に該当し、新規事項の追加に該当しない。
　そして、上記の訂正事項はいずれも、実質上特許請求の範囲を拡張し、又は変更するものではない。
　
２−３．訂正の適否についての結論
　以上のとおりであるから、上記の訂正は、特許法第１２０条の４第２項及び同３項において準用する特許法第１２６条第２項及び第３項の規定に適合するので、当該訂正を認める。
　
３．特許異議の申立てについての判断
３−１．異議の申立ての理由の概要
　異議申立人は、甲第１号証（特開平５−２４５０９０号公報）、甲第２号証（特開平４−３１２４３１号公報）及び甲第３号証（特開平５−２９３０７０号公報）を提出し、本件の請求項１ないし４に係る特許は、以下の理由により取り消されべきものである旨主張している。
　理由１．本件の請求項１、２及び４に係る発明は、甲第１号証に記載された発明であるので、特許法第２９条第１項第３号に規定する発明に該当し、特許を受けることができないものである。
　理由２．本件の請求項１ないし４に係る発明は、甲第１号証、甲第１及び２号証、又は甲第１ないし３号証に記載された発明に基づいて当業者が容易に発明をすることができたものであるので、特許法第２９条第２項の規定により特許を受けることができないものである。
　
３−２．本件発明
　上記「２．」で示したように上記訂正が認められるから、本件の請求項１ないし３に係る発明（以下、「本件発明１ないし３」という。）は、訂正明細書の特許請求の範囲の請求項１ないし３に記載された事項により特定される以下のとおりのものである。
「【請求項１】　連続フィラメントのトウを解繊して得られた一方向に並行して延びる多数の長繊維からなり坪量２００〜３，０００ｇ／ｍ２を有する繊維集合体が二枚のシート材料間に介在するとともに、前記二枚のシート材料が前記集合体の周縁から延出する部分において互いに接合し、前記二枚のシート材料のうちの少なくとも一方が、前記集合体を構成する繊維よりも高剛性の網目状シートであって、該シートの網目の径が前記集合体の平均繊維長の７／１０〜２／１０の範囲にあることを特徴とする使い捨ての拭き取り用具。
　【請求項２】　前記二枚のシート材料それぞれが熱溶融性プラスチックで構成され、前記集合体周縁部から延出する部分において互いに溶着している請求項１記載の用具。
　【請求項３】　前記長繊維維の両端部が少なくとも前記二枚のシート材料のいずれかに溶着している請求項１または２記載の用具。」
　
３−３．各甲号証の記載事項
３−３−１．甲第１号証（特開平５−２４５０９０号公報、当審が取消しの理由に引用した刊行物１）には、図面とともに以下の事項が記載されている。
・「基台シートの片面あるいは両面に、繊維の絡合で形成された不織布状からなる基布が部分的な接合により一体化されており、上記基布はその接合部分が凹状部を形成し、非接合部分が凸状部を形成し、全体として表面に凹凸形状を有する清掃用物品であって、油剤成分を基布の重量に対して０．１〜８０％担持させてなることを特徴とする清掃用物品。」（【特許請求の範囲】の【請求項１】）
・「上記基布の外側には、上記基布より繊維間距離が大きい繊維の絡合により一体化された不織布ネットが積層されていることを特徴とする請求項１記載の清掃用物品。」（同【請求項３】）
・「（実施品４）基布として、ポリエステル繊維（帝人（株））１．５デニール、５１ｍｍを常法のカードで坪量１０ｇ／ｍ２ の繊維集合体を形成し、その繊維集合体を６層（坪量６０ｇ／ｍ２ ）にラッピングし、ウォータージェット交絡で絡合したものを用いた。…（中略）…不織布ネットとして、ポリエステル繊維（帝人（株））３デニール、７６ｍｍを常法のカードで坪量１０ｇ／ｍ２ の繊維集合体を形成し、ポリプロピレン／ポリエチレンの芯鞘繊維（チッソ（株））３デニール、５１ｍｍを常法のカードで坪量１０ｇ／ｍ２ の繊維集合体を形成したものを積層した後ウォータージェット交絡で絡合させ、直径１５ｍｍの円形を中心間距離２０ｍｍになるように多数打ち抜きしたものを用いた。…（中略）…基台シートとして、厚さ１５μm で基布の８０％の面積のポリプロピレン製２軸延伸シュリンクフィルム（グンゼ（株））を用い、上記基布、不織布ネットと対面する２辺に自由末端を有するように上記基布と重ねあわせた後、超音波エンボス装置を用いて接合した。…（中略）…その後、１１０℃で３０秒間熱処理することにより、約１０％の収縮率を有する清掃用シートを得た。」（段落【００６０】〜【００６２】）
　これらの記載によれば、甲第１号証には、
「ウオータージェット交絡で絡合した繊維長５１ｍｍのポリエステル繊維の坪量６０ｇ／ｍ２を有する繊維集合体からなる基布が、ポリエステル繊維の集合体とポリプロピレン／ポリエチレンの芯鞘繊維の集合体とからなる不織布ネットとポリプロピレン製フィルムからなる基台シートとの間に介在し、不織布ネットを構成する繊維（３デニール）は、基布を構成する繊維（１．５デニール）よりも高剛性で、不織ネットは、基布を構成する繊維の繊維長の１５／５１すなわち約２．９／１０の径の打ち抜きによる開口を有する清掃用シート」の発明が記載されているということができる。
３−３−２．甲第２号証（特開平４−３１２４３１号公報）には、図面とともに以下の事項が記載されている。
・「熱収縮性の基台シートと、該基台シートの片面もしくは両面に層状に配置される、繊維の絡合で形成した不織布からなる基布シートと、該基布シートの外側に配置される、多数の開孔が形成された開孔シートとで構成され、互いに隣接する前記シート同士が部分的に接合して積層体を成し、前記基布シート及び前記開孔シートが前記接合部において凹状を成し、且つ非接合部が全体として凸状を成していることを特徴とする研磨用シート。」（【特許請求の範囲】の【請求項１】）
・「実施例１
ポリエステル繊維１．５デニール、５１ｍｍを常法のカードでウェブを形成（坪量１００ｇ／ｍ２）し、ウォーターリードリングで絡合した基布とポリエステル製ネット（５メッシュ、線径０．５ｍｍ、硬さＭ９４）、更にポリエステルの二軸収縮フィルム４０μとを超音波エンボスで一辺が３０ｍｍ、３０°の菱形パターンで接合一体化し、２０ｃｍ×２０ｃｍのシートを得た。その後熱処理（条件１３０℃×３０秒）を行い、１８ｃｍ×１８ｃｍの研磨用シートを得た。」（段落【００３７】）
・「実施例２
ポリプロピレン繊維１．５デニール、５１ｍｍとレーヨン繊維１．５デニール、５１ｍｍが５０／５０の比で混綿し常法のカードでウェブ形成（坪量７０ｇ／ｍ２ ）し、ウォーターリードリングで絡合した基布と、ポリプロピレン製ネット（５メッシュ、線径０．５ｍｍ、硬さＲ９０）とポリプロピレン二軸収縮フィルム３０μとを超音波エンボスで一辺が２０ｍｍの正方形のパターンで接合一体化し、２０ｃｍ×２０ｃｍのシートを得た。その後熱処理（条件１１０℃×３０秒）を行い、１８ｃｍ×１８ｃｍの研磨用シートを得た。」（段落【００３８】）
３−３−３．甲第３号証（特開平５−２９３０７０号公報）には、図面とともに以下の事項が記載されている。
・「シート状の清掃用具において、汚れ防止シート層と清掃機能を有した中間層とカバー用剥離シート層とを順に積層したことを特徴とする清掃用具。」（【特許請求の範囲】の【請求項１】）
・「＜実施例１＞図１は、本実施例の清掃用具の断面図である。図を用いて説明すると、まず、ポリエステル繊維（太さ３デニール，長さ６ｍｍ）からなる１ｍｍ厚みの不織布（１３０）をクッション性の基材として、その上面に、パラフィンワックスを主成分とした常温では固体の艶出し剤を加熱溶融して２０ｇ／ｍ２塗布してワックス類塗布層（１２０）を設けて、清掃用具の中間層を形成し、……（以下、略）
　＜実施例２＞図２は、本実施例の清掃用具の断面図である。まず、クッション性の中間層を形成する１ｍｍ厚みのレーヨン繊維（太さ３デニール，長さ６ｍｍ）の不織布（２３０）に、……（以下、略）
　＜実施例３＞図３は、本実施例の清掃用具の断面図である。まず、クッション性の中間層を形成する１ｍｍ厚みのポリプロピレン繊維（太さ３デニール，長さ６ｍｍ）からなるスパンボンド（３３０）の裏面に、……（以下、略）
　＜実施例４＞図４は、本実施例の清掃用具の断面図である。まず、裏面に布を貼ったポリプロピレンフィルムからなる汚れ防止層（４５０）の上面中央に、粘性のある清掃剤（４２０）を載置し、その上からポリプロピレン繊維によって作られた不織布（４３０）を被せ、その周縁部をヒートシールによってシート状にすると同時に汚れ防止層の周縁部と熱融着し、さらに、ロールで表面を加圧して平滑にして清掃用具の中間層（４２０と４３０）を形成し、……（以下、略）」（段落【００１１】〜【００１７】）
　
３−４．対比・判断
３−４−１．本件発明１について
　本件発明１と上記甲第１号証ないし甲第３号証に記載の発明とを対比すると、上記各甲号証に記載の発明は、少なくとも本件発明１を特定する事項である、「連続フィラメントのトウを解繊して得られた一方向に並行して延びる多数の長繊維」からなる「繊維集合体」を備えていない。
　確かに、上記甲第１号証に記載のものは、「繊維集合体」を備えているが、このものは「ウオータージェット交絡で絡合した繊維長５１ｍｍのポリエステル繊維」からなるものであるから、「一方向に並行して延びる多数の長繊維」からなるものと相違していることは明らかである。
　また、上記甲第２号証及び甲第３号証に記載のものは、「繊維集合体」に相当する「基布」及び「中簡層」を備えているが、いずれのものも、短繊維からなる繊維集合体を開示しているにすぎない。
　そして、本件発明１は、上記の特定する事項により、繊維の両端部を二枚のシート部材の接合両端縁部に対して溶着するだけで、網目からの抜け落ちを防止できるという短繊維の使用では得られない効果が期待できるものである。
　したがって、本件発明１が上記甲第１号証に記載された発明であるとも、甲第１号証、甲第１及び２号証、あるいは、甲第１ないし３号証に記載された発明に基づいて当業者が容易に発明をすることができたものともすることはできない。
　
３−４−２．本件発明２及び３について
　本件発明２及び３は、本件発明１をさらに技術的に特定するものであり、本件発明１に係る構成を全て具備するものであるので、上記「３−４−１．」で述べた理由により、いずれも、上記甲第１号証に記載された発明であるとも、甲第１号証、甲第１及び２号証、あるいは、甲第１ないし３号証に記載された発明に基づいて当業者が容易に発明をすることができたものともすることはできない。
　
３−５．異議申立人の主張について
　異議申立人は、繊維集合体を一方向に並行して延びる多数の長繊維に限定する記載は、甲第１ないし３号証にはないとした上で、本件明細書において繊維集合体としてトウを用いた「一方向に並行して延びる多数の長繊維」を用いるか或いは「機械的に絡み合う多数の短繊維」を用いるかで特に優劣を付けていないこと、及び、長繊維の定義が不明確で甲第１号証や甲第２号証に記載された繊維長５１ｍｍの繊維と区別がつかないことを根拠に、該繊維長５１ｍｍの繊維に代えて「一方向に並行して延びる多数の長繊維」を用いることは当業者が容易に想到しうる事項である旨主張しているが、訂正後の本件発明１は、短繊維を排除し、長繊維が「連続フィラメントのトウを解繊して得られた一方向に並行して延びる多数の長繊維」であることを明確にしたので、上記の主張は採用できない。
　
３−６．むすび
　以上のとおりであるから、特許異議申立ての理由及び証拠によっては、本件発明１ないし３に係る特許を取り消すことはできない。
　また、他に本件発明１ないし３に係る特許を取り消すべき理由を発見しない。
　よって、結論のとおり決定する。
【異議決定日】
平成１５年１２月１８日（２００３．１２．１８）
【訂正の要旨】
審決（決定）の【理由】欄参照。
（５４）【発明の名称】
使い捨ての拭き取り用具
（５７）【特許請求の範囲】
　【請求項１】　
連続フィラメントのトウを解繊して得られた
からなり坪量２００〜３，０００ｇ／ｍ２を有する
　【請求項２】　前記二枚のシート材料それぞれが熱溶融性プラスチックで構成され、前記集合体周縁部から延出する部分において互いに溶着している請求項１記載の用具。
　【請求項３】　前記
長繊維の
【発明の詳細な説明】
　【０００１】
　【発明が属する技術分野】
　この発明は、床面や壁面等のごみや汚れを拭き取るための使い捨ての用具に関する。
　【０００２】
　【従来の技術】
　木やプラスチックシートの床面等を掃除するときに使用するこの種用具において、厚み方向の弾力性（クッション性）を高める手段の一つとして比較的嵩高な繊維集合体を使用することがある。ごみや汚れの拭き取り性能を高めるには、その繊維に適宜油剤を含浸すればよい。
　【０００３】
　【発明が解決しようとする課題】
　繊維集合体が嵩高で、弾力性の高いものになると、床面を軽く拭くことが容易になる反面、床面の汚れを掻き取ることが難しくなる。
　【０００４】
　そこで、この発明は、拭き取り用具において、比較的嵩高な繊維集合体を使用しても汚れを掻き取ることができるようにすることを課題にしている。
　【０００５】
　【課題を解決するための手段】
　前記課題を解決するためのこの発明は、
連続フィラメントのトウを解繊して得られた
からなり坪量２００〜３，０００ｇ／ｍ２を有する
　【０００６】
　【発明の実施の形態】
　添付の図面を参照し、この発明に係る使い捨て拭き取り用具の詳細を説明すると、以下のとおりである。
　【０００７】
　図１には、使い捨て拭き取り用具１と、それが取り付けられた清掃具２とが斜視図で示されている。清掃具２は、用具１を取り付ける基板３と、柄４とを有し、基板３の下面に当接した用具１の側縁部７が基板３の上面に折り重ねられ、基板３のクリップ８でその上面に固定されている。かかる状態の清掃具２は、柄４を持ち、用具１で床面を軽く拭くようにして使用する。
　【０００８】
　図２に斜視図で示された用具１は、図１のそれを伸展したものであり、図３は、図２のＩＩＩ−ＩＩＩ線端面図である。
　【０００９】
　図２，３において、用具１は、熱溶融性のプラスチックシートまたは不織布からなる矩形のシート部材１０と、部材１０の上下面１０Ａ，１０Ｂのそれぞれに位置して一方向へ並行して延びる多数の長繊維２５からなる繊維層２５Ａ，２５Ｂと、それぞれの繊維層２５Ａ，２５Ｂを覆う網目状シート部材３１Ａ，３１Ｂとによって構成されている。
　【００１０】
　シート部材１０は、長手方向に延びる側縁部７それぞれが折り重ねられ、図示した多数の点１５において溶着している。
　【００１１】
　繊維層２５Ａ，２５Ｂは、例えば熱可塑性合成樹脂からなる連続フィラメントのトウを所要幅に解繊し、所要長に裁断することによって得られる。その裁断によって得られる長繊維２５は、シート部材１０の長手方向に延びて、両端部それぞれがシート部材１０の端縁部に接合線１１において溶着し、両端部間では互いに並行し、機械的にある程度絡み合っているか、または全く絡み合っていない状態にある。長繊維２５は、繊径が２〜２０デニール、坪量が２００〜３，０００ｇ／ｍ２であることが好ましく、それによって比較的嵩高で柔軟な繊維層２５Ａ，２５Ｂが得られる。
　【００１２】
　網目状シート部材３１Ａ，３１Ｂは、長繊維２５よりも高剛性のものであって、該部材には熱可塑性合成樹脂からなる繊径３０デニール以上のフィラメントや撚糸を網目状に編んだもの、厚み０．０５ｍｍ以上の熱可塑性合成樹脂フィルムに多数の開孔を形成したもの等を使用することができる。網目は、その径が長繊維２５の長さの７／１０〜２／１０の範囲にあり、開孔面積率が３０〜９０％の範囲にあることが好ましい。かかる網目状シート部材３１Ａ，３１Ｂは、シート部材１０に対してその長手方向に延びる接合線１２において溶着する他に、接合線１１において繊維層２５とともに溶着することがある。
　【００１３】
　このように構成された用具１では、シート部材３１Ａ，３１Ｂの網目からのぞく繊維層２５Ａ，２５Ｂによって床面の綿のような軽いごみを拭き取ることができる。かかる拭き取り性能を向上させるために、繊維層２５Ａ，２５Ｂに油剤を含浸することもできる。また、用具１で床面を強く擦ると、剛性な網目状シート部材３１Ａ，３１Ｂが床面からごみを掻き取るように作用し、繊維層２５Ａ，２５Ｂでは取りにくいごみの捕集が可能になる。
　【００１４】
　用具１に
おいて、シート
　【００１５】
　【発明の効果】
　この発明に係る使い捨ての拭き取り用具では、構成繊維が互いに並行しているかまたは機械的に絡み合っているだけの嵩高な繊維集合体で軽いごみを拭き取ることができ、この繊維集合体を被覆する比較的剛性な網目状シートでこの用具からの繊維の脱落を防止し、かつ、床面のごみを掻き取ることができる。
【図面の簡単な説明】
　【図１】
　拭き取り用具を取り付けた清掃具の斜視図。
　【図２】
　拭き取り用具の部分破断斜視図。
　【図３】
　図２のＩＩＩ−ＩＩＩ線端面図。
　【符号の説明】
　１　　　拭き取り用具
　１０　　シート材料（シート部材）
　２５　　長繊維
　２５Ａ，２５Ｂ　　繊維層（繊維集合体）
　３１Ａ，３１Ｂ　　網目状シート